(57)【要約】      （修正有）【課題】浴室や洗面台等の排水口に取り付けられて排水口に含まれる毛髪等を捕集するヘアキャッチャーについて、水平方向及び天地方向に対する大きさを抑えるとともに、着脱の際の作業性が良好なヘアキャッチャーを提供する。【解決手段】ヘアキャッチャー１は平面視円形且つ断面視すり鉢状であり、流入路２、捕集部３、流出孔４、隆起部５、オーバーフロー孔６、ロック溝７、滑り止め９より構成されている。滑り止め９はヘアキャッチャー１の外側面より、凸部が外側に向けて突出することで並設された複数の凹凸であって、ヘアキャッチャー１の外縁において周方向に形成されている。ヘアキャッチャー１の着脱を行う際にはヘアキャッチャー１を上方から覆うようにして取手部８（隆起部５）の外側面が把持される。【選択図】図２
2015059375.tif 000002
【特許請求の範囲】
【請求項１】
浴室や洗面台などの排水口に取り付けられて排水中に含まれる毛髪等を捕集するヘアキャッチャーであって、
流出孔を有し、毛髪等を捕集する捕集部と、
上方へ向けて延設され、その側面を把持可能に形成した取手部とを備え、
上記取手部の把持部分に滑り止めが設けられていることを特徴とするヘアキャッチャー。
【請求項２】
前記把持部分が複数箇所に設けられていることを特徴とする請求項１に記載のヘアキャッチャー。
【請求項３】
前記滑り止めが、取手部の側面に設けられた凹凸によって形成されていることを特徴とする請求項１又は請求項２に記載のヘアキャッチャー。
【請求項４】
前記滑り止めが、取手部の側面に設けられた小開口であることを特徴とする請求項１又は請求項２に記載のヘアキャッチャー。
【請求項５】
前記滑り止めが、取手部の側面に高い摩擦係数を有する部材が配置されていることにより形成されていることを特徴とする請求項１乃至請求項４のいずれか１つに記載のヘアキャッチャー。
【請求項６】
前記滑り止めが、
取手部の外側面に設けられていることを特徴とする請求項１乃至請求項５のいずれか１つに記載のヘアキャッチャー。
【請求項７】
前記取手部が、
ヘアキャッチャーの周方向に沿って設けられていることを特徴とする請求項１乃至請求項６のいずれか１つに記載のヘアキャッチャー。
【請求項８】
前記取手部が、
捕集部の外側に設けられていることを特徴とする請求項１乃至請求項７のいずれか１つに記載のヘアキャッチャー。
【請求項９】
前記ヘアキャッチャーが、
排水を捕集部へ流入させるガイド壁を備え、
上記ガイド壁が取手部を兼ねることを特徴とする請求項１乃至請求項８のいずれか１つに記載のヘアキャッチャー。
【請求項１０】
前記ヘアキャッチャーが、
捕集部で渦流が発生するように、排水を捕集部へ流入させる流入路と、
流入路を挟んで形成された隆起部とを備え、
前記隆起部の上面は流入路よりも上方に配置されるとともに、流出孔で流出できなかった排水を流出させるオーバーフロー孔を備えるとともに、
上記隆起部が取手部を兼ねることを特徴とする請求項１乃至請求項９のいずれか１つに記載のヘアキャッチャー。
【発明の詳細な説明】
【技術分野】
【０００１】
本発明は、浴室や洗面台等の排水口に取り付けられて、毛髪等を捕集するヘアキャッチャーに関するものである。
【背景技術】
【０００２】
従来のヘアキャッチャーは、浴室や洗面台等の排水口に対して着脱可能に取り付けられている。又、ヘアキャッチャーは毛髪等を捕集する捕集部において、流入した排水を下流側の配管へと排出する排出孔を有している。
上記ヘアキャッチャーは取り外しを容易にするために取手部が設けられているものが知られており、当該取手部に関しては、その把持部分が水平方向に延設された取手部と、把持部分が上方に向けて延設された取手部が知られている。
【０００３】
上記取手部の内、水平方向に延設された取手部は、ヘアキャッチャーの外側にまで取手部が飛び出してしまうことから、ヘアキャッチャーが水平方向に大きくなってしまっていた。（特許文献１）
又、上記取手部はその上面及び下面（裏面）を把持して着脱を行うため、取手部の下方には手が入るだけの一定のスペースが必要となる。従って、上記取手部はヘアキャッチャーの取り付け面よりもある程度高い位置にまで立ち上げた後に水平方向に延設されてしまうため、ヘアキャッチャーが天地方向に大きくなってしまっていた。
即ち、上記水平方向に延設された取手部を有するヘアキャッチャーは、取り付け部分（排水口）周辺において水平方向及び天地方向に広いスペースが必要となることから、取り付け可能な環境が限定されてしまっていた。
【０００４】
一方、上方へ向けて延設された取手部においては、取手部がヘアキャッチャーから飛び出さなくとも良い。（特許文献２）
即ち、取手部を上方へ向けて延設した場合、前記水平方向に延設された取手部を有するヘアキャッチャーよりも、水平方向に対して小型化することが可能となる。
しかし、上方へ向けて延設された取手部は、その側面を把持することからヘアキャッチャーのロックの解除の際や、捕集された毛髪を除去する際に滑りやすく、作業性が悪かった。特に、上記取手部に対して石鹸や洗剤等が付着している場合において、顕著に滑りやすくなっていた。又、上記特許文献２には、取手部に、指が入る程度の大きさの開口を設ける構造が記載されているが、当該場合においてはヘアキャッチャーの天地方向の高さが大きくなってしまう。
【先行技術文献】
【特許文献】
【０００５】
【特許文献１】特開２０１１−０２１４１２号公報
【特許文献２】特開２００９−１８５５３７号公報
【発明の概要】
【発明が解決しようとする課題】
【０００６】
本発明は上記問題に鑑み、水平方向及び天地方向に対する大きさを抑えるとともに、着脱の際の作業性が良好なヘアキャッチャーの提供を行うことを課題とする。
【課題を解決するための手段】
【０００７】
上記課題を解決するための請求項１に記載の本発明は、浴室や洗面台などの排水口に取り付けられて排水中に含まれる毛髪等を捕集するヘアキャッチャーであって、
流出孔を有し、毛髪等を捕集する捕集部と、
上方へ向けて延設され、その側面を把持可能に形成した取手部とを備え、
上記取手部の把持部分に滑り止めが設けられていることを特徴とするヘアキャッチャーである。
尚、ここにいう「滑り止め」とは、前掲した特許文献１（特開２００９−１８５５３７）のように、開口に指を入れるような「掴む」構造とは異なり、摩擦を増加させること等により滑りを抑える構造を指すものである。
【０００８】
請求項２に記載の本発明は、前記把持部分が複数箇所に設けられていることを特徴とする請求項１に記載のヘアキャッチャーである。
【０００９】
請求項３に記載の本発明は、前記滑り止めが、取手部の側面に設けられた凹凸によって形成されていることを特徴とする請求項１又は請求項２に記載のヘアキャッチャーである。
【００１０】
請求項４に記載の本発明は、前記滑り止めが、取手部の側面に設けられた小開口であることを特徴とする請求項１又は請求項２に記載のヘアキャッチャーである。
尚、ここにいう「小開口」とは、把持時において指が入らない程度に小さい開口を指すものである。
【００１１】
請求項５に記載の本発明は、前記滑り止めが、取手部の側面に高い摩擦係数を有する部材が配置されていることにより形成されていることを特徴とする請求項１乃至請求項４のいずれか１つに記載のヘアキャッチャーである。
【００１２】
請求項６に記載の本発明は、前記滑り止めが、
取手部の外側面に設けられていることを特徴とする請求項１乃至請求項５のいずれか１つに記載のヘアキャッチャーである。
【００１３】
請求項７に記載の本発明は、前記取手部が、
ヘアキャッチャーの周方向に沿って設けられていることを特徴とする請求項１乃至請求項６のいずれか１つに記載のヘアキャッチャーである。
尚、ここにいう「周方向」とは、必ずしもヘアキャッチャーと同心円である必要はなく、周方向の成分が入っていれば良い。
【００１４】
請求項８に記載の本発明は、前記取手部が、
捕集部の外側に設けられていることを特徴とする請求項１乃至請求項７のいずれか１つに記載のヘアキャッチャーである。
【００１５】
請求項９に記載の本発明は、前記ヘアキャッチャーが、
排水を捕集部へ流入させるガイド壁を備え、
上記ガイド壁が取手部を兼ねることを特徴とする請求項１乃至請求項８のいずれか１つに記載のヘアキャッチャーである。
【００１６】
請求項１０に記載の本発明は、前記ヘアキャッチャーが、
捕集部で渦流が発生するように、排水を捕集部へ流入させる流入路と、
流入路を挟んで形成された隆起部とを備え、
前記隆起部の上面は流入路よりも上方に配置されるとともに、流出孔で流出できなかった排水を流出させるオーバーフロー孔を備えるとともに、
上記隆起部が取手部を兼ねることを特徴とする請求項１乃至請求項９のいずれか１つに記載のヘアキャッチャーである。
【発明の効果】
【００１７】
請求項１に記載の本発明によれば、取手部がヘアキャッチャーから飛び出さなくとも良いため、水平方向に対する大きさを抑えることができる。又、上記取手部は、その側面を把持することから、取手部下方に手を入れるスペースを設ける必要がない。従って、取手部の天地方向に対する大きさを抑えることができる。
即ち、本発明によれば前記水平方向に延設された取手部を有するヘアキャッチャーよりも、水平方向及び天地方向に対して小型化することが可能となる。
請求項２に記載の本発明によれば、把持部分が複数箇所に設けられていることから、ヘアキャッチャーを上方から覆うようにして把持することが可能となり、着脱時に力が入りやすい。又、取手部が上方に向けて延設されていることから、複数箇所に把持部分を設けても、ヘアキャッチャーが大型化することを防ぐことができる。
請求項３乃至請求項５に記載の本発明によれば、滑り止めの構造を明確化することができる。
請求項６に記載の本発明によれば、滑り止めが取手部の外側面に設けられていることにより、容易に把持することが可能となる。特に、ヘアキャッチャーを上方から覆うようにして把持する場合に、特に容易に把持することが可能となる。
請求項７及び請求項８に記載の本発明によれば、排水がヘアキャッチャーに流入する際に、排水中の毛髪が取手部に付着しにくい。又、ヘアキャッチャーに流入する排水が渦流を生じさせる構造である場合において、流入する排水が乱流を生じにくく、効果的に渦流を生じさせることが可能となる。
請求項９に記載の本発明によれば、ガイド壁が取手部を兼ねているため、新たに取手部を設ける必要がない。従って、捕集部へ流入する排水が乱流を生じることを防ぐことが可能となる。
請求項１０に記載の本発明によれば、隆起部が取手部を兼ねているため、新たに取手部を設ける必要がない。従って、隆起部から更に高い位置にまで取手部を延設する必要がなく、ヘアキャッチャーの天地方向に対する高さを抑えることが可能となる。
【図面の簡単な説明】
【００１８】
【図１】本発明の取付状態を示す断面図である。
【図２】本発明の斜視図である。
【図３】本発明の平面図である。
【図４】滑り止め近傍を示す要部拡大平面図である。
【図５】図３のＡ-Ａ断面図である。
【図６】本発明の側面図である。
【図７】本発明が把持されている状態を示す参考図である。
【図８】本発明の第二実施形態を示す平面図である。
【図９】本発明の第三実施形態を示す（ａ）平面図（ｂ）（ａ）のＡ-Ａ断面図である。
【図１０】本発明の第四実施形態を示す（ａ）平面図（ｂ）（ａ）のＡ-Ａ断面図である。
【図１１】本発明の第五実施形態を示す側面図である。
【発明を実施するための形態】
【００１９】
以下、図面を参照しながら本発明のヘアキャッチャーを説明する。尚、以下に記載する説明は実施形態の理解を容易にするためのものであり、これによって発明が制限して理解されるものではない。又、以下の実施形態においては、図１に示す取り付け状態を基準として上下左右を説明する。
【００２０】
図１に示すように、第一実施形態に係るヘアキャッチャー１は、以下に記載する洗い場パンＰの排水口１０に取り付けられて毛髪等を捕集する。
【００２１】
洗い場パンＰは浴室の内、シャワーや吐水栓等が備えられた洗い場側の防水パンであり、排水を下流側の配管へと流出するための排水口１０が設けられている。尚、当該排水口１０は洗い場パンＰの内、一段落ち窪んだ箇所であって、洗い場パンＰの一番低い位置に設けられるとともに、当該排水口１０には排水トラップ１１が取り付けられている。
【００２２】
排水トラップ１１は排水トラップ本体１２、フランジ部材１３、防臭筒１４より構成されており、上記排水口１０に対し、パッキン１５を介してフランジ部材１３及び排水トラップ本体１２が螺着されている。又、当該フランジ部材１３には防臭筒１４及び後述するヘアキャッチャー１が取り付けられており、ヘアキャッチャー１上には目隠しプレート２０が載置されている。
【００２３】
排水トラップ本体１２は図示しない浴槽からの排水が流入する排水枝管１８と下流側の排水配管と接続する流出口１７を有するとともに、内部に椀部１６を有し、当該椀部１６内に排水を一時的に貯留し、封水を形成することが可能となっている。
【００２４】
防臭筒１４は上端が前記フランジ部材１３に固定可能であるとともに、上方より中程にかけて傾斜する傾斜部分と、当該傾斜部分の下端から垂下する筒状部分より構成されている。尚、フランジ部材１３に防臭筒１４が取り付けられた状態において、防臭筒１４の下端は前記椀部１６の上端より下方且つ椀部１６下端より上方に配置される。
【００２５】
上記各部材より構成される排水トラップ１１に対して洗い場パンＰからの排水が流入すると、当該排水は前記椀部１６に貯留される。この時、防臭筒１４の内側が形成する流路と、防臭筒１４の外側と椀部１６の内側が形成する流路が上記排水で満たされるため、下流側（下水側）からの空気や水、害虫等が浴室内へと侵入することが不可能となる。即ち、洗い場パンＰからの排水によって封水が形成される。
【００２６】
尚、浴槽からの排水が生じた場合、即ち排水枝管１８から排水が流入した場合においても同様に、椀部１６に排水が貯留されて封水が形成される。
【００２７】
上記排水口１０（排水トラップ１１）に取り付けられるヘアキャッチャー１は、図２乃至図６に示すように、流入路２、捕集部３、流出孔４、隆起部５、オーバーフロー孔６、ロック溝７、滑り止め９より構成されている。又、第一実施形態に係るヘアキャッチャー１は平面視円形の２回転対称形状であって断面視略すり鉢状に形成されている。
【００２８】
捕集部３は平面視円形であってヘアキャッチャー１の中央が凹状に窪むことにより形成され、底部には複数の流出孔４が穿設されている。流出孔４は捕集部３に流入した排水を流出するとともに、排水中の毛髪等を通過させず、捕集する。尚、ここにいう捕集とは、排水中の全ての毛髪を捕集することに限定されるわけではない。又、捕集部３の底面には、捕集部３を中心として環状のリブが同心円状に設けられており、毛髪等が捕集部３の底面に張り付くことを防ぐ。
尚、上記流出孔４は捕集部３の中央部分（底部）周辺にのみ穿設されており、捕集部３の中程から上端にかけては、流出孔４は設けられていない。
【００２９】
流入路２は捕集部３を中心として２箇所、平面視螺旋状に形成されている。又、流入路２はヘアキャッチャー１の外縁より捕集部３へ向けて形成され、洗い場パンＰからの排水を前記捕集部３へと導く。又、流入路２は捕集部３の接線に沿って捕集部３と合流するとともに、捕集部３に近づくにつれて流路幅が狭くなるよう形成されている。ここで、ヘアキャッチャー１の取り付け時において、流入路２の端部（ヘアキャッチャー１の外縁）下端はフランジ部材１３の上端と略同一の高さに配置される。
【００３０】
隆起部５はヘアキャッチャー１の一部が上方へ向けて隆起（延設）されることによって形成されており、ヘアキャッチャー１の外縁より捕集部３の上端までの位置において、上記流入路２を挟むようにして２箇所、周方向に設けられている。尚、図４に示すように、一方の隆起部５の上面には、後述するヘアキャッチャー１の着脱時の回転方向が明確となるよう、回転方向を示す矢印とともに、「開」「閉」の文字が刻印されている。
上記隆起部５はその上面にのみオーバーフロー孔６が穿設されており、その側面には孔が設けられていない。従って、隆起部５はその側面によって流入路２より流入する排水の流入方向を規制するガイド壁としての役割を有している。尚、隆起部５の上面は略水平に形成されている。
又、隆起部５には滑り止め９が設けられている。滑り止め９はヘアキャッチャー１の外側面より、凸部が外側に向けて突出することで並設された複数の凹凸であって、ヘアキャッチャー１の外縁において周方向に形成されている。又、図５及び図６に示すように、滑り止め９は隆起部５の外側面において上下に２列設けられている。
ここで、図７に示すように、ヘアキャッチャー１の着脱の際には隆起部５（滑り止め９）が把持されることから、第一実施形態において隆起部５は取手部８としての役割も有している。
【００３１】
オーバーフロー孔６は前記流出孔４より大径に形成された孔群であり、図１に示すように、ヘアキャッチャー１の取り付け時において、オーバーフロー孔６はフランジ部材１３の上端よりも高い位置に配置される。即ち、オーバーフロー孔６は取付面よりも高い位置に配置されている。
【００３２】
ロック溝７はヘアキャッチャー１の外側面に設けられた溝部であって、フランジ部材１３に設けられた突起よりもやや幅広に形成されている。
【００３３】
上記ヘアキャッチャー１の着脱を行う際には、図７に示すように、ヘアキャッチャー１を上方から覆うようにして取手部８（隆起部５）の外側面が把持される。そして、ロック溝７内にフランジ部材１３の突起が当接した状態でヘアキャッチャー１を回転させることで、ロック溝７とフランジ部材１３が嵌合し、フランジ部材１３にヘアキャッチャー１を取り付けると共に、該取り付け状態を固定することができる。又、取り外しを行う際は前記回転方向と逆の方向にヘアキャッチャー１を回転させることで、嵌合（固定）を解除することができる。この時、使用者はヘアキャッチャー１の外縁に力を加えるため、少ない力でヘアキャッチャー１を回転させることが可能となる。
【００３４】
又、上記着脱の際において、取手部８（隆起部５）は使用者が把持する部分に滑り止め９が形成されている。従って、使用者の手には滑り止め９がしっかりとかかり（凹凸が指に食い込み）、ヘアキャッチャー１の着脱時において周方向に力が加わっても手が滑ることがない。即ち、周方向に並設された複数の凹凸によって把持部分の摩擦が増加し、ヘアキャッチャー１が回転する際の滑り止めを行うことができる。
尚、滑り止め９は隆起部５の外側面において上下に２列配置されていることから、ヘアキャッチャー１を持ち上げる際等、天地方向に対して力が加わっても手が滑ることがない。
【００３５】
上記ヘアキャッチャー１に対する排水の流れは以下のようになる。
【００３６】
シャワー等の使用により洗い場パンＰ上に毛髪等が混入した排水が生じた際、当該排水は洗い場パンＰ上を流れ、流入路２よりヘアキャッチャー１（排水口１０）へと流入する。この時、ヘアキャッチャー１へと流入する排水は螺旋状に設けられた流入路２によって旋回流となり、渦を巻きながら捕集部３へと流入する。又、流入路２は捕集部３に近づくにつれて流路幅が狭くなることから、流入した排水は捕集部３に近づくにつれてその流入速度が上昇する。
そして、捕集部３へと到達した排水は捕集部３の中程から上端の、流出孔４が形成されていない部分によってさらに強い旋回流となり、排水に混入した毛髪等を捕集部３の中央でまとめる。この時、捕集部３の流出孔４より徐々に（毛髪等を除く）排水が排水トラップ内へと排出される。
尚、上記流入路２は隆起部５によって挟まれているとともに、隆起部５の側面には孔が形成されていないことから、流入した排水は流入路２からのみ流れ、乱流の発生を防ぐことができる。
【００３７】
排水の流入が終了すると、ヘアキャッチャー１上には毛髪等が残留するが、当該毛髪等は前記排水の流れによって捕集部３の底部において１箇所にまとまっている。この時、捕集部３の底面には環状のリブが形成されているため、毛髪等は捕集部３の底面に固着することはない。
従って、ヘアキャッチャー１を反転すると、捕集された毛髪等を除去することができる。尚、ヘアキャッチャー１は滑り止め９によってしっかりと把持されていることから、ヘアキャッチャー１の反転の際に手が滑ることはない。即ち、毛髪等の除去の際にヘアキャッチャー１の持ち方を変えたりする必要がない。
【００３８】
尚、上述したヘアキャッチャー１に対する排水の流れに関し、排水流量が多く、流入路２に収まり切れない程の排水が生じた場合や、流出孔４が毛髪等によって閉塞されて捕集部３から排水が溢れた場合（隆起部５上面まで水位が上昇した場合）には、隆起部５の上面に設けられたオーバーフロー孔６より排水が流出される。従って、洗い場パンＰ側に排水が逆流することはない。尚、オーバーフロー孔６は複数の孔よりなる孔群によって形成されているため、オーバーフロー孔６より毛髪等が下流側へと排出されることを防ぐことができる。尚、ここにいう防ぐとは、排水中の全ての毛髪が下流側へと排出されることを防ぐことに限定されるわけではない。
【００３９】
上記本発明によれば、流入路２が隆起部５によって挟まれていることから、排水の流入時において、意図せぬ方向に排水が流入することがない。
【００４０】
又、流入路２が捕集部３に近づくにつれて流路幅が狭くなることから、流入した排水の速度を上昇させることが可能となり、少ない排水量でも効果的に旋回流を発生させることができる。
【００４１】
又、取手部８が上方に向けて延設されており、その側方を把持部分とする構造であるから、ヘアキャッチャー１の水平方向及び天地方向に対する大きさを抑えることができるともに、滑り止め９によって着脱時等の作業性が向上している。
【００４２】
又、取手部８がヘアキャッチャー１の捕集部の外側に設けられているとともに、把持部分となる滑り止め９が取手部８の外側面に設けられていることから、少ない力でヘアキャッチャー１の着脱を行うことが可能となる。
【００４３】
本発明の第一実施形態は以上であるが、本発明は上記構造に限られるものではなく、発明の要旨を逸脱しない範囲内において種々の設計変更が可能である。
例えば、上記実施形態では流入路２及び隆起部５はそれぞれ２箇所設けられていたが、図８に示す第二実施形態のように、それぞれ３箇所（３回転対称形状）に設けられていても良く、１箇所であったり４箇所以上であったりしても良い。当然に、ヘアキャッチャー１が回転対称形状でなくても良い。
【００４４】
又、隆起部５の高さに関しては、ヘアキャッチャー１に設けられる目隠しプレート２０に干渉しない範囲であれば適宜高くしても良く、流入路２を通る排水が旋回流を生じさせることを阻害しない範囲であって、且つ滑り止め９が形成可能な高さがあれば、適宜隆起部５の高さを低くしても良い。さらに、隆起部５が複数形成されている場合において、それぞれの隆起部５に高低差が形成されていても良い。例えば、第二実施形態に係る３箇所の隆起部５の内、１箇所の隆起部５のみ高く／低く形成されている等しても良い。これにより、排水の量に対してオーバーフロー孔６より排出される排水量をコントロールできる。
本発明はヘアキャッチャー１の着脱の際に取手部８の側面を把持するとともに、把持部分に滑り止め９を設けていることから、隆起部５（取手部８）の高さが低くなった場合においても問題無く把持することができる。
さらに、隆起部５の上面に関しては、捕集部３に向けてなだらかに傾斜しており、隆起部５の上面に水滴が残留しないように構成されていても良い。この場合においては、オーバーフロー孔６より排水の流出がなされた後、隆起部５の上面に残留した水滴は捕集部３へと導かれる。又、オーバーフロー孔６によって下流側へ流出することが防がれた毛髪等も、隆起部５上面の傾斜によって捕集部３へと導かれる。従って、隆起部５の上面には水滴や毛髪等が残留することなく清潔である。尚、傾斜に関しては捕集部３以外の方向に向けて傾斜していても良い。
【００４５】
又、滑り止め９は取手部８の側面より凸部が突出することによって形成されていたが、第二実施形態のように、取手部８の側面（上面）を窪ませることによって凹凸を形成しても良い。
【００４６】
又、第一実施形態において、隆起部５が取手部８を兼ねていたが、取手部８の形状に関しては板状であるなど、上方へ向けて延設されており、且つその側面を把持可能としているならば種々の形状であって良い。従って、図９に示す第三実施形態のように、排水を捕集部３へ流入させるための、板状のガイド壁２２に滑り止め９を設けることによって、ガイド壁２２が取手部８を兼ねても良い。
当該第三実施形態においては、第一実施形態と同様にヘアキャッチャー１を覆うように把持しても良いし、取手部８（ガイド壁２２）の内側面と外側面を摘むようにして把持しても良い。さらに、必要に応じてガイド壁２２の内側面にも滑り止め９を設けても良い。
この時の掴み方の一例としては、複数あるガイド壁２２の一枚の内側面と外側面の両方から滑り止め９を掴むような方法がある。
【００４７】
又、滑り止め９に関し、図１０に示す第四実施形態のように、適当な形状／大きさの小開口を設けて滑り止め９とするなど、適宜変更可能である。従って、使用者の手には滑り止め９がしっかりとかかり（開口が指に食い込み）、ヘアキャッチャー１の着脱時において周方向に力が加わっても手が滑ることがない。即ち、周方向に並設された複数の開口によって把持部分の摩擦が増加し、ヘアキャッチャー１が回転する際の滑り止めを行うことができる。
【００４８】
又、滑り止めとしての機能を有するのであれば、把持部分にシボ加工を施しても良く、さらに、図１１に示す第五実施形態のように、ヘアキャッチャー１の把持部分にゴム等の高い摩擦係数を有する材質を配置するなどして滑り止め９としても良い。当然に、上記ゴム等の高い摩擦係数を有する材質に対して、更に凹凸を設ける等しても良い。尚、上記第五実施形態に係るヘアキャッチャー１は、滑り止め９以外の構成に関しては第一実施形態と同様であるためその記載を省略する。
【００４９】
尚、上記各実施形態においては、隆起部５やガイド壁２２が取手部８を兼ねており、渦流を発生させる構造を採っていたが、取手部８としての機能のみを有するものであっても良い。
【００５０】
又、捕集部３は必ずしもヘアキャッチャー１の中心に形成されている必要はなく、偏芯した位置等、適宜位置変更を行っても良い。
【００５１】
又、本発明のヘアキャッチャーは、浴室の排水口以外にも洗面台の排水口等、種々の排水口に使用しても良い。
【００５２】
又、本発明のヘアキャッチャーは、上記の実施例のように回転によるロック以外にも、天地方向への抜き差しによる嵌合、または単に排水口に配置するだけでロック機構を有さない構造としても良い。いずれの場合でも、滑り止め９を設けたことで、排水口からの取り出しを容易に行うことができる。
【００５３】
又、本発明のヘアキャッチャーは、ヘアキャッチャーの上方を手で覆うように把持する以外に、ヘアキャッチャー側面を覆うように把持しても構わない。
【符号の説明】
【００５４】
１        ヘアキャッチャー
２        流入路
３        捕集部
４        流出孔
５        隆起部
６        オーバーフロー孔
７        ロック溝
８        取手部
９        滑り止め
１０      排水口
１１      排水トラップ
１２      排水トラップ本体
１３      フランジ部材
１４      防臭筒
１５      パッキン
１６      椀部
１７      流出口
１８      排水枝管
２０      目隠しプレート
Ｐ        洗い場パン
【図１】
2015059375.tif 000003
【図２】
2015059375.tif 000004
【図３】
2015059375.tif 000005
【図４】
2015059375.tif 000006
【図５】
2015059375.tif 000007
【図６】
2015059375.tif 000008
【図７】
2015059375.tif 000009
【図８】
2015059375.tif 000010
【図９】
2015059375.tif 000011
【図１０】
2015059375.tif 000012
【図１１】
2015059375.tif 000013